(57)【要約】【課題】スープやカレーなどの風味を決定づけている種々の調味料や香辛料の微妙な味や香気を失わせることなく、従って店で食べるのと同様な風味を味わうことができる袋入り食品を提供する。【解決手段】周囲２を密閉された袋１内を互いに密閉された複数室４、５に区画するシール部３を備え、袋周囲２の密閉を開放することなく当該シール部３を開放可能にした当該袋の一室５に油とスパイスとの混合物１２が封入され、他室４にスープその他の流動食主体１１が封入されていることを特徴とする。油にスパイスを溶け込ませたものは、水や空気と化合して変質することが無く、また熱を加えても香気を失うことがない。この発明により、微妙な風味が決め手となるスープやカレーなどの袋入りレトルト食品に、店で食べるのと同様な風味を持たせることができる。【選択図】      図２
2006056524.tif 000002
【特許請求の範囲】
【請求項１】
周囲(2)を密閉された袋(1)内を互いに密閉された複数室(4,5)に区画するシール部(3)を備え、袋周囲の密閉を開放することなく当該シール部を開放可能にした当該袋の一室(5)に油とスパイスとの混合物(12)が封入され、他室にスープその他の流動食主体(11)が封入されている、袋入り流動食品。
【請求項２】
油とスパイスの混合物に、流動食主体に添加された調味料と異なる種類の調味料が添加されている、請求項１記載の袋入り流動食品。
【請求項３】
流動食主体がスープカレーである、請求項１又は２記載の袋入り流動食品。
【発明の詳細な説明】
【技術分野】
【０００１】
この発明は、密閉袋入りのスープやカレーなどの液状ないし流動状の食品に関するもので、特に当該食品に添加する各種香辛料の風味の維持を可能にする技術に関するものである。
【背景技術】
【０００２】
レトルト食品の一つとして、スープやカレーを密閉袋に収容したものが提供されている。これらのレトルト食品は、袋に入れたまま加熱したあと、袋を開放して内容物を皿などに移して食べる。
【０００３】
一方、複数種の食品などの収納袋として、合成樹脂フィルムや金属箔などの可撓性フィルムで製作された密閉袋をシール部によって複数の収容室に区画し、袋を開放することなくシール部のみを開放して各収容室の内容物を混合したあと、袋を開放して混合された内容物を取出すようにした密閉袋がある。
【０００４】
袋を複数の室に区画するためのシール部としては、幾種類かのものが提案されており、例えば特許文献１は、袋の中央部を外側から挟む仮止部材でシール部を形成しており、特許文献２では、袋の周縁部よりも弱い接着力のヒートシール部としている。また特許文献３のものは、袋の内面に一体化されて雄雌嵌合するチャックでシール部を形成している。
【０００５】
シール部で区画された２つの室に粉末香辛料と水とを収容し、使用する直前にシール部を開放して粉末香辛料を水に溶かすことにより、香辛料の香気を保つようにすることが、特許文献４及び５で提案されている。
【特許文献１】特開昭５５‐５３７２号公報
【特許文献２】特開平４‐５７７６６号公報
【特許文献３】特開平９‐１６９３６６号公報
【特許文献４】実公昭５９‐２６８６号公報
【特許文献５】実開昭６１‐１７５１６１号公報
【発明の開示】
【発明が解決しようとする課題】
【０００６】
前述したスープやカレーなどの食品には、各種の調味料や香辛料が使用されており、この調味料や香辛料の種類や微妙な組合せが味や香味の決め手となっている。しかし調味料や香辛料のなかには、食品に混合された状態で長くおかれたり、水に溶けた状態で加熱されると味や香気を失うものがある。そのような種類の調味料や香辛料を用いた食品は、本来の味や香気を失ってしまうので、レトルト食品として販売することができなかった。
【０００７】
粉末香辛料と水とを別々に収納して使用する直前に混合するものは、香味を失うのをある程度防止できるが、加熱してから粉末香辛料を水に溶かす作業は実際上困難なので、加熱により香味を失う香辛料には利用できない問題があった。更に粉末にすると香味が落ちる香辛料も少なくなく、そのような香辛料には上記の従来方法では対応できない問題がある。
【０００８】
この発明は、スープやカレーなどの風味を決定づけている種々の調味料や香辛料の微妙な味や香気を失わせることなく、従って店で食べるのと同様な風味を味わうことができるレトルト食品を提供する技術手段を得ることを課題としている。
【課題を解決するための手段】
【０００９】
この発明は、周囲２を密閉された袋１内を互いに密閉された複数室４、５に区画するシール部３を備え、袋周囲２の密閉を開放することなく当該シール部３を開放可能にした当該袋の一室５に油とスパイスとの混合物１２が封入され、他室４にスープその他の流動食主体１１が封入されていることを特徴とする袋入り流動食品を提供することにより、上記課題を解決したものである。
【００１０】
本願の請求項２の発明は、上記手段を備えた袋入り流動食品における油とスパイスの混合物１２に、流動食主体１１に添加された調味料と異なる種類の調味料が添加されていることを特徴とするものである。
【００１１】
また本願の請求項３の発明は、上記袋入り流動食品における流動食主体１１がスープカレーであることを特徴とするものである。
【発明の効果】
【００１２】
油にスパイスを溶け込ませたものは、水や空気と化合して変質することがなく、また熱を加えても香気を失うことがなく、かえって油に香り等がしみでて、食べるとき丁度よく香りがたつ。従ってこの発明により、微妙な風味が決め手となるスープやカレーなどの袋入りレトルト食品に、店で食べるのと同様な風味を持たせることができる。
【００１３】
この発明は、スープやカレーだけではなく、おかゆ、トムヤム、リゾット、ブイヤペース、スープパスタ等、スパイスが効いているのが重要な食品であって、食べるときに加熱される食品すべてに有効である。
【発明を実施するための最良の形態】
【００１４】
図１ないし図３は、本発明の一実施形態を示す図で、図１は外観を示す斜視図、図２は模式的な断面図、図３はシール部の拡大断面図である。図中、１は２枚の可撓性フィルム６ の周囲２をヒートシールした密閉袋（パウチ）、３は密閉袋１の収納部を２室に区画しているシール部、４、５はシール部３で区画された大小の収納室である。可撓性フィルム６は、複数の合成樹脂フィルム又は金属箔と合成樹脂フィルムとの積層（ラミネート）フィルムで、最内層は熱シールできるシーラント層となっており、密閉袋の周囲２は、ヒートシールにより密封されている。
【００１５】
図の密閉袋のシール部３は、突条３ａと凹溝３ｂとの嵌合によるチャック構造のものである。密閉袋１は、このシール部３によって大小２つの室４、５に区画され、突条３ａを外側から圧迫して凹溝３ｂに嵌合することにより、シール部３が閉鎖されて室４と５とがそれぞれ密閉され、両側の可撓性フィルムを引き離すような力を加えることにより、突条３ａが凹溝３ｂから離脱してシール部３が開放される。密閉袋１自体の開放は、その一辺を切除するか引き裂くことにより行われる。
【００１６】
大室４は、スープやカレー等の主となる食品１１の収納部であり、小室５は、香辛料１２の収納部である。香辛料１２は、複数種を油で練りないし溶かした状態で収納される。スープやカレーには他種類の調味料や香辛料を使用するが、そのうち予め混ぜても風味に変化を来さないものは、スープやカレーに混ぜて大室４に収納し、水分が加わったり加熱したときに風味が変化するものは、油に混ぜて小室５に収納する。
【００１７】
大室４に封入するスープ１１は、例えばとりがら、とんこつ等のスープ、更に香辛料であるカレーを加えたスープカレーに、スパイス（例えばしようが、ニンニク、ハープその他）と調味料（だし入りのづゆ、ナンプラー、塩、等）を混ぜて熱を加えたものである。
【００１８】
小室５に封入するスパイス１２は、カルダモン、クミン、クローブ、シナモン、コリアンダー、ショウガ、ニンニク、フェンネル、ガラムマサラ、ターメリック、カイエンペパー、プラッ夕べパー、ハープ系全般バジル、タラゴン、フェンネグリーク、漢方系の高麗人参、甘草など、多種多様であり、適宜選択したものを組み合わせて用いる。
【００１９】
このスパイス１２に混ぜる油は、ヘルシーな植物油、豚のラード、調味油など、スープやカレーの種類に適したものを、必要により複数種混ぜて使用する。
【００２０】
スパイスをこれらの油に混ぜ、更に適宜調味料も混ぜて十分撹拌したものを小室５に封入する。種類により、封入前に少し熱を加える場合もある。
【００２１】
次に、密閉袋１へのスープ１１及びスパイス１２の封入手順を説明する。大室４側の３辺をヒートシールした密閉袋１の小室５側の開放辺２ａから、大室４にカレーやスープ等の内容物１１を注入した後、シール部３を閉鎖し、更に上記開放辺２ａから小室５に油と混合したスパイス１２を注入し、最後に、開放辺２ａをヒートシールする。
【００２２】
次に、スープとスパイスを封入したこの発明の密閉袋１の使用手順について説明する。 まず、内容物を密閉袋に入れたまま加熱し、適当に加熱したところでシール部３の近傍で両側の可撓性フィルム６を摘まんで引き離す方向の力を加える。するとシール部の突条３ａが凹溝３ｂから離脱してシール部３が開放され、大室４と小室５とが一室になる。油で溶いたスパイス１２とスープ１１とは、共に液体ないし液状なので、袋を軽く揉むだけで容易に混ざり合う。そこで、両者を適当に混ぜ合わせたところで密閉袋１の一辺を切除するか引き裂いてい、内容物を皿に流し出す。
【００２３】
大室４のスープ１１と小室５の油に溶いたスパイス１２とが食べる直前に一緒になって温めることにより、風味が逃げないで（とばないで）より強い香りの状態で、美味しく食べることができる。また袋入り状態での保存や加熱による風味の変化が防止できるので、微妙な風味を維持できる。
【図面の簡単な説明】
【００２４】
【図１】実施例の外観を示す斜視図
【図２】図１のＡ部の模式的な断面図
【図３】図２のシール部の拡大断面図
【符号の説明】
【００２５】
１  密閉袋
２  密閉袋の周囲
３  シール部
４  大室
５  小室
11  スープ
12  油とスパイスとの混合物
【図１】
2006056524.tif 000003
【図２】
2006056524.tif 000004
【図３】
2006056524.tif 000005